(57)【要約】【課題】鍵に高い装飾性を持たせ、キーボードや電子ピアノなど鍵盤楽器のデザイン性を効果的に高めることができる鍵盤装置の提供。【解決手段】本体部２０と、本体部２０の上部に設置された透明あるいは半透明のアクリル樹脂材料からなる表面部材３０と、表面部材３０と本体部２０との間に設けた装飾を有する加飾層４０とからなる鍵１０を複数配列してなる鍵盤装置１である。加飾層４０は、色彩のほか、絵柄あるいは文字を含む装飾を施したものでもよい。また、見え懸かり部Ａにおいて表面部材３０に面する本体部２０を木質系部材２１とし、加飾層４０は、木質系部材２１の表面に形成した凹凸を含むようにしてもよい。さらに、表面部材３０を照らす採光部５が設けられており、採光部５の光で表面部材３０光らせたり加飾層４０を照らしたりして、鍵１０の装飾性をより高めることができる。【選択図】図１
2009116185.tif 000002
【特許請求の範囲】
【請求項１】
鍵を複数配列してなる鍵盤装置であって、
前記鍵は、本体部と、前記本体部の上部に設置された少なくとも一部が透明あるいは半透明の樹脂材料からなる表面部材と、前記表面部材と前記本体部との間に設けた装飾を有する加飾層と、からなることを特徴とする鍵盤装置。
【請求項２】
前記表面部材は、アクリル樹脂材料からなることを特徴とする請求項１に記載の鍵盤装置。
【請求項３】
前記加飾層は、絵柄あるいは文字を含む装飾を施したものであることを特徴とする請求項１又は２に記載の鍵盤装置。
【請求項４】
前記表面部材に光を採り入れる採光部を備えたことを特徴とする請求項１乃至３のいずれかに記載の鍵盤装置。
【請求項５】
前記本体部は、少なくとも前記鍵の見え懸かり部において前記表面部材に面する部分が木質系部材からなり、前記加飾層は、前記木質系部材の表面に設けられていることを特徴とする請求項１乃至４のいずれかに記載の鍵盤装置。
【請求項６】
前記加飾層は、前記木質系部材の表面に形成した凹凸を含むものであることを特徴とする請求項５に記載の鍵盤装置。
【請求項７】
前記加飾層は、複数の鍵に渡って連続する装飾を施したものであることを特徴とする請求項１乃至６のいずれかに記載の鍵盤装置。
【発明の詳細な説明】
【技術分野】
【０００１】
本発明は、電子鍵盤楽器をはじめとする各種鍵盤楽器に用いられる鍵盤装置に関し、特に、鍵に高い装飾性を持たせて鍵盤楽器のデザイン性を高めることができる鍵盤装置に関する。
【背景技術】
【０００２】
近年、電子ピアノなどの電子鍵盤楽器には高いデザイン性が求められており、その一環として、鍵盤に深みや奥行きのある装飾を施すことが望まれている。現在の電子鍵盤楽器の鍵盤は、白鍵と黒鍵を備える白黒鍵盤が主流であるが、装飾性を考慮した鍵盤として、白鍵に代えて単一の色彩を施した成型品からなる鍵を備えたカラー鍵盤もある。ところが、これら白黒鍵盤や単色のカラー鍵盤は、鍵に白あるいは単一の彩色を施しただけなので、例えば鍵の下地から表面までの透明感による深みや奥行き感などといった高度な装飾感は出せず、デザイン性を高めるには限界がある。また、上記のようなカラー鍵盤は、鍵自体に色を付けて成型するものであるため、同一の鍵盤装置において色の種類を増やそうとすると、製造時の色換えに伴う材料や工程の無駄が多くなる。したがって、量産品に採用するにはあまり適していなかった。
【０００３】
装飾性を考慮した鍵盤装置に関する他の従来技術として、特許文献１に記載された鍵盤装置がある。この鍵盤装置は、鍵の内部に導光体を埋め込み、発光体が発する光をこの導光体に導くことで、導光体から出た光で鍵の表面を光らせるように構成している。ところが、この鍵盤装置は、鍵を光らせるものであり、鍵に自由な絵柄や文字などを施す装飾には直接関係しない。また、鍵を光らせる技術としても、各鍵に導光体を埋め込まなければならず、鍵及びその周辺の構造が複雑になり、コスト高につながるという問題がある。
【０００４】
なお、一般的な部材の表面装飾に関する技術として、特許文献２に記載された加飾シートがある。この加飾シートは、住宅の内外装材などに用いられるもので、表面シートと裏面シートの間に装飾層と接着剤層とを介在させてなるシート状部材である。しかしながら、この技術は、上記のように住宅の内外装材などに用いるものであるうえに、加飾シートを部材（被着体）に貼着して部材を装飾するものであり、部材自体を装飾するものではない。したがって、装飾の条件などが大きく異なる鍵盤装置にそのまま適用することはできない。
【特許文献１】特開平１１−１１９７７２号公報
【特許文献２】実用新案登録第３０８３０４０号公報
【発明の開示】
【発明が解決しようとする課題】
【０００５】
本発明は上述の点に鑑みてなされたものでありその目的は、鍵に高い装飾性を持たせ、鍵盤楽器のデザイン性を効果的に高めることができる鍵盤装置を提供することにある。
【課題を解決するための手段】
【０００６】
上記課題を解決するため本発明にかかる鍵盤装置は、鍵を複数配列してなる鍵盤装置であって、鍵は、本体部と、本体部の上部に設置された少なくとも一部が透明あるいは半透明の樹脂材料からなる表面部材と、表面部材と本体部との間に設けた装飾を有する加飾層と、からなることを特徴とする。
【０００７】
この構成によれば、鍵の上層部を表面部材と加飾層の二層構造にすることで、表面部材で鍵の上面を保護しつつ、表面部材を通して加装層の装飾を鍵の上面に表すことができる。したがって、鍵の耐久性を確保しながらその装飾性を高めることができる。また、透明あるいは半透明の樹脂材料からなる表面部材と加飾層との組み合わせによって、鍵の上面側から見た装飾に深みあるいは奥行き感を持たせることができ、鍵盤装置のデザイン性を効果的に高めることができる。なお、ここでいう加飾層には、本体部の上面に色彩、絵柄あるいは文字を含む装飾を直接施したもののほか、このような装飾を施したシート状部材を本体部と表面部材との間に介在させたものなども含まれる。
【０００８】
また、上記の鍵盤装置では、表面部材にアクリル樹脂材料を用いることが好ましい。
【０００９】
このようにアクリル樹脂材料を鍵の表面部材に用いることで、高いデザイン性を確保しながらも、鍵の硬度や耐磨耗性を確保できる。また、比較的安価なアクリル樹脂材料によって透明あるいは半透明の表面部材を作成するので、鍵盤装置のコスト増を抑制できる。
【００１０】
また、上記の鍵盤装置において、加飾層は、絵柄あるいは文字を含む装飾を施したものであってもよい。
【００１１】
この構成によれば、加飾層に絵柄あるいは文字を含む装飾を施すことによって、従来の単一の彩色を施したカラー鍵盤などに比べ、鍵の装飾の自由度を大幅に高めることができる。なお、加飾層が上記のシート状部材を備えたものである場合には、鍵の表面に複雑な絵柄や文字などを含む高度な装飾を簡単に施すことができ、鍵のデザイン性をさらに高めることが可能となる。
【００１２】
また、上記の鍵盤装置においては、表面部材に光を採り入れる採光部を備えてもよい。
【００１３】
この構成によれば、採光部にて表面部材に光を採り入れることで、鍵の上面を光らせることができ、鍵の装飾をさらに効果的なものにできる。さらに、採光部による光が加飾層にも及ぶようにすれば、加飾層の装飾をより効果的に演出することが可能となる。なお、採光部は、表面部材の後端などの側部から横方向に光を入射させるようにすれば、単一の光源だけの簡単な構成で表面部材の全体を効果的に光らせることができる。
【００１４】
また、上記の鍵盤装置において、本体部は、少なくとも鍵の見え懸かり部において表面部材に面する部分が木質系部材からなり、加飾層をこの木質系部材の表面に設けていてもよい。
【００１５】
この構成によれば、木質系部材の表面を加飾層として用いることで、鍵に木質感のある装飾を施すことができ、鍵のデザイン性を高めることができるとともに、鍵に高級感を持たせることができる。なお、ここでいう鍵の見え懸かり部とは、鍵の後部におけるパネルなどの他の部材で隠れている部分よりも前側の上面が露出している部分を指す。
【００１６】
また、上記の鍵盤装置において、加飾層は、木質系部材の表面に形成した凹凸を含むものでもよい。
【００１７】
この構成によれば、木質系部材の凹凸を利用して、鍵の上面に効果的な装飾を表すことができる。また、上記の採光部を有する場合は、採光部の光で加飾層の凹凸を照らすことで、凹凸による絵柄や文字を効果的に浮き上がらせたり、採光の有無や強弱の調節、あるいは採光色の交換などにより、凹凸による絵柄や文字を切り換えたりすることが可能となり、鍵盤のデザイン性をさらに高めることができる。
【００１８】
また、上記の鍵盤装置において、加飾層は、複数の鍵に渡って連続する装飾を施したものであってもよい。
【００１９】
この構成によれば、鍵盤全体に統一感のある装飾を施すことができ、鍵盤装置のデザイン性をさらに高めることができる。
【発明の効果】
【００２０】
本発明によれば、鍵の耐久性を確保しながら、鍵に色彩や絵柄あるいは文字などを含む自由な装飾を施すことができ、鍵盤装置のデザイン性を高めることができる。
【発明を実施するための最良の形態】
【００２１】
以下、本発明の実施形態を図面に基づいて詳細に説明する。図１は、本発明の一実施形態にかかる鍵盤装置（以下、単に「鍵盤」と称す。）１が備える鍵１０及びその周辺の構成例を示す図で、（ａ）は斜視図、（ｂ）は概略側面図（一部断面図）である。鍵盤１は、並設される複数の鍵１０を備えてなるが、図１では、便宜上、最高音鍵のみを示し、隣接する他の鍵を不図示としている。また、図１では、鍵１０が白鍵である場合を示しているが、黒鍵の場合も上下高さ及び長手方向の長さが異なるだけで、それ以外は同様の構成になっている。以下の説明では、鍵１０の長手方向における両側のうち、鍵１０を操作する演奏者の側を手前あるいは前といい、その反対側を奥あるいは後という。なお、図１（ａ）では、鍵１０の後端の図示を省略している。
【００２２】
鍵１０は、長尺状の部材で、鍵盤１の底部を構成する略平板状のフレーム２に後端がネジＳＣで固定されており、前端が自由端として上下方向に揺動自在になっている。なお、図示は省略するが、フレーム２は、鍵盤１の前後方向及び左右方向に延びており、複数の鍵１０に対応する位置に跨って配置されている。また、本実施形態の鍵盤１では、各鍵１０の後部上方に図示しない操作パネルが設置されており、このパネルによって鍵１０の後部上面が隠れている。以下では、このパネルで隠れている部分より前側の部分である図１（ａ）における矢印Ａで示す部分を鍵１０の見え懸かり部と称す。なお、鍵盤１は、キーボードや電子ピアノなどの電子鍵盤楽器に用いて好適なもので、図示は省略するが、鍵１０の下面とフレーム２の間などには、鍵１０の動作を電気的出力に変換するためのスイッチあるいはセンサなどの電気機構が設けられている。
【００２３】
鍵１０は、本体部２０と、本体部２０の上部に設置された表面部材３０と、表面部材３０と本体部２０の間に設けた加飾層４０とで構成されている。本体部２０は、木質系部材２１とベース体２５とによって構成されている。ベース体２５は、ＢＳあるいはＡＢＳなどの合成樹脂材料からなる成型品で、鍵１０の前部で長手方向に延びる細長い略薄板状の鍵ベース２５１と、該鍵ベース２５１の後部に連結された厚板状部２５２とからなる。
【００２４】
木質系部材２１は、ベース体２５の鍵ベース部２５１の上部に載置される部材で、断面が矩形状の細長い棒状体からなる。ここでいう木質系部材２１とは、木質感を有する部材を指し、本実施形態では木材であるが、それ以外にも、例えば、木目調の化粧部材、合板、木質材（ＭＤＦ）などで構成することも可能である。
【００２５】
本体部２０の上部に設置された表面部材３０は、アクリル樹脂材料からなる透明あるいは半透明の薄板状部材である。この表面部材３０は、本体部２０の上面及び前面を覆う形状に形成されている。一方、表面部材３０に面している本体部２０は、鍵１０の長手方向の途中にある切換部Ｂより前側が木質系部材２１、後側がベース体２５になっている。この切換部Ｂは、鍵１０の見え懸かり部Ａよりも後側にある。したがって、鍵１０の見え懸かり部Ａで表面部材３０に面している本体部２０は、木質系部材２１になっている。
【００２６】
また、ベース体２５の後端部には薄板状のヒンジ部２６が連結されており、図１（ｂ）に示すように、ヒンジ部２６の後部には矩形状の基部２７が形成されている。ヒンジ部２６は上下方向に可撓性を有している。また、ヒンジ部２６には、上下に貫通する矩形状の透孔２６ａが形成されている。一方、基部２７は、フレーム２の後部に設けた鍵支承部３に固定されている。これにより、鍵１０は、ヒンジ部２６の可撓性により該ヒンジ部２６を介して鍵支承部３に揺動自在に支持されている。また、ベース体２５の後端下面には、突起状の下限ストッパー２８が形成されている。下限ストッパー２８は、鍵１０の全体あるいは後部が通常の演奏力以上の力で過度に押し下げられた場合、鍵１０の後部が所定量以上に沈むことを防止するものである。
【００２７】
ヒンジ部２６の下側には、フレーム２上に設けた筒状体４が配置されている。筒状体４は、内部に配線孔４ａが形成されており、図示は省略するが、鍵盤１の横方向に延びて複数の鍵１０に対応する位置に跨って配置されている。筒状体４の上部における各鍵１０に対応する位置には、表面部材３０に光を採り入れる採光部５が設けられている。採光部５は、矩形状のカバー６と、カバー６の前面に取り付けたＬＥＤ７とで構成されている。カバー６は、ヒンジ部２６の透孔２６ａ内に配置されて、上端が透孔２６ａから上方に突出しており、前面の上端近傍に設けたＬＥＤ７が表面部材３０の後端面３０ａに対向している。これにより、ＬＥＤ７は、表面部材３０の後端面３０ａに向けて光を照射する。照射された光は、表面部材３０の後端面３０ａから前方に向かって横方向（水平方向）に入射する。入射光は、表面部材３０の上下面及び側面で反射しながら鍵１０の自由端を照らすが、この際、入射光が後述する僅かな凹凸などで形成された加飾層４０の部位で乱反射されることで、入射光を鍵１０の上面から視認できるようになる。これにより、表面部材３０を光らせることができる。なお、ＬＥＤ７への配線７ａは、カバー６内を貫通して筒状体４の配線孔４ａに導かれている。
【００２８】
図２は、本体部２０と表面部材３０の間に設けた加飾層４０の構成例を示す図である。同図（ａ）に示す例では、加飾層４０として、木質系部材２１の表面２１ａに色彩や絵柄や文字などを含む装飾を直接施している。同図（ｂ）に示す例では、加飾層４０として、木質系部材２１の表面２１ａに凹凸（微細な凹凸）の形成による装飾を施している。これらでは、木質系部材２１の表面２１ａが加飾層４０になっている。また、同図（ｃ）に示す例では、加飾層４０として、色彩や絵柄や文字などを含む装飾を施したシート状部材４１を本体部２０と表面部材３０との間に介在させている。加飾層４０は、これらのうちいずれであってもよい。また、加飾層４０に施す装飾は、単色あるいは複数色の彩色のみであってもよいし、絵柄と文字のいずれかあるいは両方を含むものであってもよいし、彩色と絵柄あるいは文字とを組み合わせたものでもよい。加飾層４０として、木質系部材２１の表面２１ａに色彩や絵柄や文字を含む装飾を施すには、例えば、インクジェット方式あるいはレーザー方式のプリントなどで行うことができる。また、木質系部材２１の表面２１ａに凹凸を形成するには、例えば、レーザーによるエッチングあるいは刃物による彫刻などで行うことができる。
【００２９】
図３は、鍵盤１の製造工程の一部を説明するための図である。通常、鍵盤１を製造するには、複数の鍵１０に対応する部分が繋がった状態である平板状の木質系部材２１と、この木質系部材２１と略同形の表面部材３０とを用意し、表面部材３０と木質系部材２１とを貼り合わせた後、各鍵１０ごとの引き割り（切断）を行う。すなわち、加飾層４０として、図２（ｃ）に示すシート状部材４１を用いる場合、あらかじめシート状部材４１に装飾を施しておく。そして、表面部材３０の下面にシート状部材４１を貼り合わせる。その後、図３に示すように、一体になった表面部材３０とシート状部材４１を木質系部材２１の上面に貼り合わせる。この三者を貼り合わせたものを鍵１０の幅に合わせた切断線Ｃに沿って切断する。なお、加飾層４０が、図２（ｂ）あるいは（ｃ）に示す木質系部材２１の表面２１ａを利用したものである場合は、あらかじめ木質系部材２１の表面２１ａに装飾を施しておき、その上から表面部材３０を貼り合わせる。その後、上記と同様の引き割りを行う。このようにして鍵盤１を製造することで、上層部が表面部材３０と加飾層４０の二層構造になっている鍵盤１の製造が容易に行える。また、後述するような複数の鍵１０に渡って連続する装飾を施した鍵盤１も容易に製作できる。
【００３０】
図４は、本実施形態にかかる絵柄からなる装飾を施した鍵盤１を有するキーボード５０の構成例を示す図である。上記手順にて鍵盤１を製作することで、このキーボード５０のように隣接する複数の鍵１０，１０に渡って連続する絵柄からなる装飾を施すことができる。これにより、鍵盤１の全体に統一感のある装飾を施すことができ、キーボード５０のデザイン性を効果的に高めることができる。なお、同図に示す例では、白鍵にのみ絵柄を施し、黒鍵には絵柄を施していないが、例えば、黒鍵を黒色以外の色にすることなどにより、黒鍵に絵柄を施すことも可能である。
【００３１】
以上説明したように本実施形態の鍵盤１によれば、鍵１０の上層部を表面部材３０と加飾層４０とからなる二層構造にしたことで、鍵１０の上面を表面部材３０で保護しつつ、表面部材３０を通して加飾層４０の装飾を鍵１０の上面に表すことができ、鍵１０の耐久性を確保しながら装飾性を高めることができる。また、透明あるいは半透明の表面部材３０とその下側に設けた加飾層４０との組み合わせによって、鍵１０の上面に見える装飾に深みあるいは奥行き感を持たせることができ、キーボード５０などの電子鍵盤楽器をはじめとする各種鍵盤楽器のデザイン性を効果的に高めることができる。
【００３２】
また、表面部材３０にアクリル樹脂材料を用いたことで、鍵１０の装飾の深みあるいは奥行き感による高いデザイン性を確保しつつ、鍵１０の硬度や耐磨耗性を確保できる。また、比較的安価なアクリル樹脂材料にて透明あるいは半透明の表面部材３０を形成したことで、鍵盤１のコスト増を抑制できる。
【００３３】
また、本実施形態の鍵盤１では、採光部５にて表面部材３０に光を採り入れることで、鍵１０の上面を光らせることができる。この場合、表面部材３０の後端面３０ａから前方に向けて横方向に光を採り入れることで、表面部材３０の全体を明るく光らせることができる。また、表面部材３０の内部に光沢を有する微細粉からなる乱反射材を混入しておくなどすれば、表面部材３０の内部で光が乱反射して、表面部材３０の全体がより明るく光るようにできる。これにより、表面部材３０を効果的に光らせて鍵盤１のデザイン性を高めることができる。
【００３４】
また、上記構成に加えて、黒鍵も白鍵と同様に表面部材と加飾層とを有する構造とし、かつ、黒鍵に光を採光する採光部を設けることもできる。その場合、黒鍵は、採光部からの入射光がある場合にのみ絵柄が浮き立つように構成してもよい。それには、例えば、黒鍵の表面部材を黒色の半透明材料で形成し、採光部の入射光がない場合は、黒色で不透明に見えるが、採光部の入射光があると黒色で半透明な状態となり、加飾層に光が反射して絵柄が浮き出るようにする。これにより、採光部の入射光によって黒鍵の絵柄と白鍵の絵柄との両方を視認可能な状態にすることができる。
【００３５】
さらに、採光部５による光は表面部材３０を介して加飾層４０にも及ぶため、この光によって、加飾層４０の装飾を効果的に演出することが可能となる。例えば、加飾層４０が白色の部分を含む装飾である場合、採光部５から表面部材３０に青色の光を導入することで、白色の部分が光で照らされて青く見えるようにできる。
【００３６】
また、加飾層４０が木質系部材２１の表面２１ａに形成した凹凸を含むものである場合、採光部５の採光で凹凸を照らすことで、凹凸による絵柄や文字を効果的に浮き上がらせたり、採光の有無や強弱の調節、あるいは採光色の交換などによって、凹凸による絵柄や文字を切り換えたりすることが可能となる。具体例を挙げると、凹凸の形状や光の入射角度の設定によって、非入光時は絵柄Ｐ、入光時は絵柄Ｑに切り換わるようにする。ここでの絵柄Ｐは、例えば「ド」の鍵１０にドーナツの絵、「レ」の鍵１０にレモンの絵・・・のような絵柄であり、絵柄Ｑは、「Ｃ」の鍵１０にアルファベットのＣ、「Ｄ」の鍵１０にアルファベットのＤ・・・のような文字柄とする。こうすれば、採光の有無などによって、鍵盤１を大人向けと子供向けとに切り換えることが簡単に行えるようになる。
【００３７】
上記実施形態では、表面部材３０をアクリル樹脂材料で構成した場合を説明したが、本発明にかかる鍵盤装置の表面部材は、透明あるいは半透明の材料であれば、アクリル樹脂材料以外の樹脂材料で構成することも可能である。また、上記で示した鍵盤１の製造方法は一例であり、これ以外にも、例えば、あらかじめ各鍵１０に対応する木質系部材２１と表面部材３０とを引き割り（切断）しておき、個々に分離した木質系部材２１と表面部材３０を後から貼り合わせて各鍵１０を製作することも可能である。
【００３８】
また、上記実施形態では、表面部材３０はその全体が透明あるいは半透明である場合を示したが、これ以外にも、例えば、見え懸かり部Ａだけを透明あるいは半透明にして、それより後側の部分は透明以外の色にすることができる。また、透明以外の部分を基調とし、特定の絵柄や文字柄などを形成するように透明部分を抜き柄として形成してもよい。したがって、表面部材３０は少なくともその一部が透明あるいは半透明であればよい。
【００３９】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。
【図面の簡単な説明】
【００４０】
【図１】本発明の一実施形態にかかる鍵盤（鍵盤装置）が備える鍵及びその周辺の構成例を示す図で、（ａ）は、斜視図、（ｂ）は、鍵の後端部を示す概略側面図（一部断面図）である。
【図２】加飾層の構成例を示す図で、（ａ）は、木質系部材の表面に色彩や絵柄や文字を含む装飾を施した例であり、（ｂ）は、木質系部材の表面に凹凸の形成による装飾を施した例であり、（ｃ）は、色彩や絵柄や文字を含む装飾を施したシート状部材を本体部と表面部材との間に介在させた例である。
【図３】鍵盤の製造工程を説明するための図である。
【図４】本発明の実施形態にかかる絵柄からなる装飾を施した鍵盤を有するキーボードの構成例を示す図である。
【符号の説明】
【００４１】
１  鍵盤（鍵盤装置）
２  フレーム
３  鍵支承部
４  筒状体
５  採光部
６  カバー
７  ＬＥＤ
１０  鍵
２０  本体部
２１  木質系部材
２１ａ  表面（加飾層）
２５  ベース体
２６  ヒンジ部
２７  基部
２８  下限ストッパー
３０  表面部材
３０ａ  後端面
４０  加飾層
４１  シート状部材（加飾層）
５０  キーボード
Ａ  見え懸かり部
Ｂ  切換部
【図１】
2009116185.tif 000003
【図２】
2009116185.tif 000004
【図３】
2009116185.tif 000005
【図４】
2009116185.tif 000006